(57)【特許請求の範囲】
【請求項１】
複合信号を増幅するための装置であって、
異なる周波数帯の複数の信号成分を有する複合信号を受け、複数の出力に、前記複合信号を異なる周波数帯の複数の副信号に分離するか、または、前記複数の出力の少なくとも１つに与えられる単一の信号成分を有する非複合信号を受信する、少なくとも１つのフィルタと、
前記複数の異なる出力から前記複数の副信号を受けて前記複数の副信号を増幅するように前記複数の出力に接続される、複数の増幅器と、
前記複数の出力の間に接続されるネットワークとを備え、前記ネットワークは、前記出力に対応する前記周波数帯の外側に周波数を有する前記複数の出力上の前記信号の少なくとも一部を終端するように選択された構成要素を有しており、前記ネットワークは、複合信号を受けた場合に前記ネットワークの構成要素が前記複数の出力上の前記信号の少なくとも一部を終端している第１の構成と、非複合信号を受けた場合に前記ネットワークの構成要素が前記複数の出力上の前記信号の少なくとも一部を終端していない第２の構成とを切換可能である、装置。
【請求項２】
前記フィルタは、表面音響波（ＳＡＷ）フィルタを含む、請求項１に記載の装置。
【請求項３】
前記表面音響波（ＳＡＷ）フィルタは、単向二路（diplex）信号を受けて、異なる周波数を有する２つの出力に２つの信号を出力する、請求項２に記載の装置。
【請求項４】
前記少なくとも１つのフィルタは、複数のフィルタを含む、請求項２に記載の装置。
【請求項５】
前記複数の増幅器は、電界効果トランジスタまたはバイポーラ接合トランジスタから構成される低雑音増幅器を含む、請求項１に記載の装置。
【請求項６】
前記増幅された副信号を積算する積算素子をさらに備える、請求項１に記載の装置。
【請求項７】
前記積算素子は、前記増幅された副信号を受ける共通ノードを含む、請求項６に記載の装置。
【請求項８】
前記ネットワークは、受動ネットワークを含む、請求項１に記載の装置。
【請求項９】
前記受動ネットワークは、インダクタと並列の抵抗を含む、請求項８に記載の装置。
【請求項１０】
前記ネットワークは、副信号が前記複数の出力に与えられた場合に前記受動ネットワークが前記複数の出力の間に選択的に結合され、単一の出力信号のみが前記複数の出力の１つに与えられた場合に前記受動ネットワークが選択的に分離される、少なくとも１つのスイッチを含む、請求項８に記載の装置。
【請求項１１】
前記少なくとも１つのスイッチは、前記複数の出力にそれぞれ結合される複数のスイッチを含む、請求項１０に記載の装置。
【請求項１２】
無線装置であって、
無線信号を受ける受信器と、
前記無線装置の動作を制御するプロセッサと、
異なる周波数帯の複数の信号成分を有する複合信号を受け、複数の出力に、前記複合信号を異なる周波数帯の複数の副信号に分離するか、または、前記複数の出力の少なくとも１つに与えられる単一の信号成分を有する非複合信号を受信する、少なくとも１つのフィルタと、
前記複数の異なる出力から前記複数の副信号を受けて前記複数の副信号を増幅するように前記複数の出力に接続される、複数の増幅器と、
前記複数の出力の間に接続されるネットワークとを備え、前記ネットワークは、前記出力に対応する前記周波数帯の外側に周波数を有する前記複数の出力上の前記信号の少なくとも一部を終端するように選択された構成要素を有しており、前記ネットワークは、複合信号を受けた場合に前記ネットワークの構成要素が前記複数の出力上の前記信号の少なくとも一部を終端している第１の構成と、非複合信号を受けた場合に前記ネットワークの構成要素が前記複数の出力上の前記信号の少なくとも一部を終端していない第２の構成とを切換可能である、無線装置。
【請求項１３】
前記フィルタは、表面音響波（ＳＡＷ）フィルタを含む、請求項１２に記載の無線装置。
【請求項１４】
前記表面音響波（ＳＡＷ）フィルタは、単向二路（diplex）信号を受けて、異なる周波数を有する２つの出力に２つの信号を出力する、請求項１３に記載の無線装置。
【請求項１５】
前記少なくとも１つのフィルタは、複数のフィルタを含む、請求項１２に記載の無線装置。
【請求項１６】
前記複数の増幅器は、電界効果トランジスタまたはバイポーラ接合トランジスタから構成される低雑音増幅器を含む、請求項１２に記載の無線装置。
【請求項１７】
前記増幅された副信号を積算する積算素子をさらに備える、請求項１２に記載の無線装置。
【請求項１８】
前記積算素子は、前記増幅された副信号を受ける共通ノードを含む、請求項１７に記載の無線装置。
【請求項１９】
前記ネットワークは、受動ネットワークを含む、請求項１２に記載の無線装置。
【請求項２０】
前記受動ネットワークは、インダクタと並列の抵抗を含む、請求項１９に記載の無線装置。
【請求項２１】
前記ネットワークは、副信号が前記複数の出力に与えられた場合に前記受動ネットワークが前記複数の出力の間に選択的に結合され、単一の出力信号のみが前記複数の出力の１つに与えられた場合に前記受動ネットワークが選択的に分離される、少なくとも１つのスイッチを含む、請求項１９に記載の無線装置。
【請求項２２】
前記少なくとも１つのスイッチは、前記複数の出力にそれぞれ結合される複数のスイッチを含む、請求項２１に記載の無線装置。
【請求項２３】
前記無線装置は、複合信号を受ける複数のフィルタを含む、請求項１２に記載の無線装置。
【請求項２４】
複合信号を増幅する方法であって、
異なる周波数帯を有する複数の信号成分を有する複合信号、または単一の信号成分を有する非複合信号を受けることと、
出力に、異なる周波数帯の複数の信号成分を有する複合信号を、事前に選択された周波数帯の副信号に分離することと、
前記副信号を増幅することと、
インピーダンスネットワークを介して前記出力を選択的に相互接続することとを備え、前記インピーダンスネットワークは、複合信号を受けた場合に、前記事前に選択された周波数帯と異なる周波数を有する出力上の副信号の一部を少なくとも部分的に終端するように選択され、前記方法はさらに、
非複合信号を受けた場合に、前記インピーダンスネットワークを介して前記出力を切断することを備える、方法。
【請求項２５】
前記複合信号を分離することは、多重の表面音響波（ＳＡＷ）フィルタを用いて前記信号を分離することを含む、請求項２４に記載の方法。
【請求項２６】
前記副信号を増幅することは、低雑音増幅器を用いて前記副信号を増幅することを含む、請求項２４に記載の方法。
【請求項２７】
インピーダンスネットワークを介して前記出力を相互接続することは、スイッチおよび受動ネットワークを介して前記出力を相互接続することを含む、請求項２４に記載の方法。
【請求項２８】
前記受動ネットワークは、インダクタと並列の抵抗を含む、請求項２７に記載の方法。
【請求項２９】
前記増幅された副信号を積算することをさらに備える、請求項２４に記載の方法。
【請求項３０】
前記複合信号を分離することは、複数の副信号を生成するために、複数のフィルタを用いて前記信号を分離することを含む、請求項２４に記載の方法。
【発明の詳細な説明】
【技術分野】
【０００１】
発明の分野
発明の実施例は、電子システムに関し、特に無線周波数（ＲＦ）の電子機器に関する。
【背景技術】
【０００２】
関連技術の説明
携帯電話、スマートフォン、タブレット、コンピュータ、モデムおよび他の装置のようなＲＦの電子機器は、制限された周波数スペクトル上で動作する。複数の装置が特定の周波数帯で同時に送受信することが可能となるように種々の方式が実施されている。そのような方式の１つは、４Ｇ ＬＴＥの先行実施において現在用いられており、キャリアまたはチャネル複合と呼ばれている。この方式では、成分キャリアが異なる周波数を有する複合成分キャリアを同時に送信するのに、より広域な送信帯幅が用いられる。成分キャリアは、連続的なまたは非連続的な周波数であり得る。異なる帯域における複数の成分キャリアが複合して送信されたとき、それらは各帯域に対して１つが受ける複数の帯域通過フィルタを用いて受信されなければならない。そのようなフィルタは、互いに全く独立であり得るか、または、共通アンテナのような共通入力点で一緒に結合され得る。無線受信装置内において、そのようなフィルタの出力は、頻繁に増幅され単一経路上で再結合される必要がある。無線装置でこれがなされる例は、「ダイバーシティ」受信器である。
【発明の概要】
【課題を解決するための手段】
【０００３】
しかしながら、これらの種類の信号の増幅および結合は、異なる受信周波数帯間の信号に対して大きな雑音および利得の相違となり得、全体の信号品質に影響を与え得る。したがって、雑音が減少し利得特性が改善した複合キャリア成分信号を増幅する改善されたシステムおよび方法が必要となる。
【図面の簡単な説明】
【０００４】
【図１】本開示のフィルタ成分を有する受信器を備えた無線装置の概略図である。
【図２】図１の１以上のモジュールを含み得る一例としての無線またはネットワーク装置の概略ブロック図である。
【図３】図１の低雑音増幅器モジュールで用いられ得る単向二路（diplexing）フィルタおよび増幅回路の回路図である。
【図４】図１の低雑音増幅器モジュールで用いられ得る切換可能な受動ネットワークを備えた単向二路フィルタおよび増幅回路の概略ブロック図である。
【図５】図４の単向二路フィルタおよび増幅回路の列の概略ブロック図である。
【図６】切換可能な受動ネットワークを備えた単向二路フィルタおよび増幅回路の一実現例の回路図である。
【図７】切換可能な受動ネットワークを備えた単向二路フィルタおよび増幅回路の他の一実現例の回路図である。
【図８】切換可能な受動ネットワークを備えた単向二路フィルタおよび増幅回路の他の一実現例の回路図である。
【図９】複数のフィルタを有する切換可能な受動ネットワークを備えたフィルタおよび増幅回路の他の一実現例の回路図である。
【発明を実施するための形態】
【０００５】
図１は、音声および／またはデータ通信のために構成された、携帯電話、スマートフォン、タブレット、モデム、通信ネットワーク、または他の携帯または非携帯の装置のような無線装置１１の概略図である。装置１１は、多重信号のような信号を受けるアンテナ１４と、特定の実現例で多重信号から成分信号を抽出するフィルタ構成２４とを含む。しかしながら、下記でも議論するように、フィルタ構成２４は、いかなる複数の異なるフィルタ実現例をも含み得る。構成はさらに、既知の方法で信号を送受信するように構成され得る送受信器１３と、装置１１に電力を供給するバッテリー１５とを含む。
【０００６】
図２は、無線装置１１をより詳細に説明する。示されるように、装置１１は、主アンテナ、ダイバーシティアンテナ等を含む複数のアンテナ１４から信号を受信し得る。主アンテナ１４は、信号が選択的に送受信され得るように、アンテナ切換モジュール１２を介して選択され得る。アンテナ切換モジュール１２は、電力増幅器モジュール１７を介して送受信器１３から信号を受信する。送受信器１３は、送信信号を生成する、および／または、受信信号を処理するように構成される。いくつかの実施例では、そのような送受信の機能が、分離した構成要素（たとえば、送信モジュールおよび受信モジュール）で行われるか、または同じモジュールで行われ得る。アンテナ切換モジュール１２は、異なる帯域および／またはモード、送受信モード等の間を切り換えるように構成され得る。図２にも示されるように、主アンテナ１４は、アンテナ切換モジュール１２を介して送受信器１３に供給される信号を受信するとともに、既知の方法で送受信器１３、電力増幅器１７およびアンテナ切換モジュール１２を介して無線装置１１から信号を送信する。
【０００７】
図２のシステムはさらに、無線装置の動作のための電力を管理する、送受信器１３に接続された電力管理システム１９を含む。電力管理システム１９は、ベースバンド副システム２１および無線装置１１の他の構成要素の動作も制御し得る。電力管理システム１９は、既知の方法でバッテリー１５を介して装置１１に電力を供給する。
【０００８】
ベースバンド副システム２１は、使用者に供給され使用者から受信する音声および／またはデータの種々の入出力を促進するために、使用者インターフェイス２３に接続されることが示される。ベースバンド副システム２１はまた、無線装置の動作を促進するためにデータおよび／または命令を記憶し、および／または使用者のために情報の記憶を供給するように構成されたメモリ２５に接続され得る。
【０００９】
電力増幅器１７は、広範な種類のＲＦ信号を増幅するのに用いられ得る。たとえば、１以上の電力増幅器１７は、無線ローカルエリア網（ＷＬＡＮ）信号または他のいかなる適したパルス信号の送信を支援するために電力増幅器の出力をパルス化するのに用いられ得る可能化（enable）信号を受信し得る。電力増幅器１７の各々は、同じタイプの信号を増幅する必要はない。たとえば、１つの電力増幅器は、ＷＬＡＮ信号を増幅し得るのに対し、他の電力増幅器は、たとえば、携帯電話のための地球規模システム（ＧＳＭ（登録商標））信号、符号分割多重アクセス（ＣＤＭＡ）信号、Ｗ−ＣＤＭＡ信号、長期的進化（ＬＴＥ）信号、またはＥＤＧＥ信号を増幅し得る。
【００１０】
特定の実施例において、ここに記載された種々の過程の実現を促進するように、プロセッサが構成され得る。記載の目的で、本願開示の実施例は、方法、装置（システム）およびコンピュータプログラム製品のフロー図説明および／またはブロック図を参照しても記載され得る。フロー図説明および／またはブロック図の各ブロック、およびフロー図説明および／またはブロック図におけるブロックの組合せは、コンピュータプログラム命令によって実現され得ることが理解されるだろう。これらのコンピュータプログラム命令は、コンピュータまたは他のプログラム可能なデータ処理装置のプロセッサを介して実行する命令がフロー図および／またはブロック図のブロックにおいて特定される動作を実現するための手段を生成するように、一般用途コンピュータ、特別用途コンピュータ、または機械を作製するための他のプログラム可能なデータ処理装置のプロセッサに供給され得る。
【００１１】
特定の実施例において、これらのコンピュータプログラム命令は、コンピュータ読出可能なメモリが記憶された命令がフロー図および／またはブロック図のブロックにおいて特定される動作を実現する命令手段を含む製造品を製造するように、特定の方法で動作するコンピュータまたは他のプログラム可能なデータ処理装置を管理し得るコンピュータ読出可能メモリ２９にも記憶され得る。当該コンピュータプログラム命令は、コンピュータまたは他のプログラム可能な装置上において実行する命令がフロー図および／またはブロック図のブロックにおいて特定される動作を実現するためのステップを与えるように、コンピュータによって実行される過程を創出するためにコンピュータまたは他のプログラム可能な装置上において一連の動作を行なわせるように、コンピュータまたは他のプログラム可能な装置上にもロードされ得る。
【００１２】
図２にも示されるように、無線装置１１は、第１の入力信号を受けて当該信号を１以上の出力信号にフィルタリングしその出力信号を増幅するという１つの特定例に適用されるフィルタおよび増幅器素子２４もまた含み得る。１つの特定実現例において、フィルタおよび増幅器素子２４は、ある帯域幅で送信される構成信号を含む複合キャリアまたはチャネル信号を受ける。素子２４は、ＲＦフロントエンドの一部であり得るか、ＲＦフロントエンドと送受信器１３との間に差し挟まれ得る。それにもかかわらず、素子２４は、一実現例において、信号が複合する場合に１より多くの周波数帯から構成される単向二路信号のような多重信号を受ける。これにより、データおよび信号のより優れた送信が可能となる。よくあることに、信号は、信号が用いられる前に増幅される必要がある。図２に示される実現例は、単なる例示であって非制限的であるべきである。
【００１３】
より特定的には、図２に示されるように、無線装置１１は、アンテナ１４から信号を受信する素子２４を含み得る。素子２４は、複数の信号構成を含む複合信号を受ける多重フィルタのようなフィルタ４２を含む。フィルタ４２は、それから、複合信号を異なる周波数帯上の信号構成に分離し、好ましくは切換可能なネットワーク５０を介して低雑音増幅器４４にこれを与える。より詳細は下記に記載されるが、ネットワーク５０は、雑音を減らして信号性能を改善するために、構成信号の周波数帯の外側に外れる構成信号の一部を終端させるか少なくとも減衰させるように設計されている。増幅器４４の出力は、それから、送受信器１３に直接与えられ得るか、または積算素子４６を介して積算され得る。
【００１４】
図２において、素子２４は、ダイバーシティアンテナ１４から信号を受けていることに注意すべきである。しかし、素子２４は、現在の教示から離れることなく、主アンテナ１４からも信号を受け得るか、または、いくつかの異なる方法のいずれかで実現され得る。
【００１５】
図３は、複合信号に対する増幅器回路４０の例示的な回路４０である。示されるように、回路４０は、たとえばアンテナ１４から多重信号を受けるたとえば単向二路フィルタであるフィルタ４２を含む。単向二路フィルタ４２は、１つの非制限的な実現例において、出力４３ａ，４３ｂの２つの分離した周波数帯で、単向二路（diplex）信号を受けて２つの分離した信号を出力する表面音響波（ＳＡＷ）フィルタを含み得る。出力はそれから、低雑音増幅トランジスタ４４ａ，４４ｂのゲートに送り込まれ、その結果、増幅された信号が他の回路構成に直接供給され得るか、または、増幅された信号が積算回路または増幅器４６に供給され得る。積算回路４６はそれから、積算された出力信号を供給し得る。
【００１６】
１つの例示的な実現例において、低雑音増幅トランジスタ４４ａ，４４ｂは、ＦＥＴ型のトランジスタとして描かれている。しかしながら、いくつかの異なる型の増幅装置のいずれもが本願開示の範囲から外れることなく用いられ得るために、応用は単にＦＥＴ型のトランジスタに限定されるべきではないことが評価される。たとえば、バイポーラ接合トランジスタの応用も、本願教示の範囲から外れることなく用いられ得る。
【００１７】
１つの実現例において、積算回路４６は、トランジスタ４４ａ，４４ｂから信号を受ける共通ノードを含むが、本願発明の範囲から外れない他の実現例も可能である。多重フィルタ４２は、アンテナ１４、ＲＦフロントエンド１２または他のいかなる構成要素から入力信号を受け得る。積算回路４６は、実現例に応じて、ＲＦフロントエンド１２、アンテナ１４または他のいかなる構成要素に対し増幅された信号を供給し得る。重ねて、本願の分野で通常の知識を有する者であれば、無線装置の種々のいかなる異なる構成においても、上記構成要素を実現し得る。
【００１８】
図３の回路で生じる１つの困難は、多重フィルタ４２の出力の各周波数帯に対して実質的な雑音および利得差があり得ることである。これは、複合帯域において、１つの帯域上の信号が低雑音増幅器入力４４ａ，４４ｂに戻り結合し、多重信号フィルタ４２で反射する結果として生じる。これが生じるのは、多重フィルタ４２の意図された通過帯域を除いた周波数において、フィルタ４２の出力が非常に反射的であり、その結果、重大な利得変化となるからである。さらに、源インピーダンスが正しく整合された場合、低雑音増幅器は、低雑音指数を与えるのみである。もし、複合周波数帯において、低雑音増幅器４４ａ，４４ｂの入力が非常に反射的な源インピーダンスで現れる場合、低雑音増幅器４４ａ，４４ｂの出力雑音は、回路動作を低下させる非常に高いものとなり得る。
【００１９】
これらの問題に対処するために、受動ネットワークのような切換可能ネットワーク５０は、多重フィルタ４２と低雑音増幅器４４ａ，４４ｂとの間に設けられ得る。切換可能ネットワーク５０は、反射される信号の部分の相互終端をネットワーク５０が与えるように好ましくは同調される。換言すると、出力４３ａ，４３ｂに対する帯域の外側に外れた周波数成分を有する出力４３ａ，４３ｂの各々に対する信号の部分は、好ましくはネットワーク５０によって終端されるか減衰される。切換可能ネットワーク５０は、抵抗、キャパシタおよびインダクタのような受動要素のネットワークを含み得るとともに、分路等またはいくつかの実現例では能動装置をも含み得る。ネットワーク５０は、当該出力４３ａ，４３ｂに対する正しい周波数帯ではない出力４３の１つに対する信号の部分がネットワーク５０によって終端されるか少なくとも減衰されるように、好ましくは同調される。
【００２０】
好ましくは、ネットワーク５０は、当該ネットワークが２つの出力４３の間で選択的に接続および非接続され得るように切換可能である。これは、ネットワーク５０によって導入され当該ネットワークが回路外に切り換えられた結果減少した損失で非複合信号がフィルタ４２によって通過された場合に、出力４３のいずれかの使用を可能にする。しかしながら、フィルタ４２が１以上の出力４３で複合信号を通過させる場合、受動ネットワーク５０は、２つの出力４３の間で切り換えられ、それにより、さもなくば雑音および利得の不一致を引き起こし得る出力で信号の部分の終端が可能となる。
【００２１】
図５は、図２に示されるフィルタ構成２４の他の実現例である。示されるように、フィルタ構成２４は、実際には、多重フィルタ４２、切換可能な受動ネットワーク５０、増幅器４４ａ，４４ｂおよび積算素子４６を各々が含む複数の回路構成４０を含み得る。さらに、複数の多重フィルタ４２は、最底部のフィルタ４０ｎによって示されるような、単向二路フィルタまたは２より多い異なる離散帯を有する複合信号を受けるフィルタである多重フィルタ４２も含み得る。多重出力を有する他のいかなるフィルタまたはフィルタ組もまた、本願教示の範囲から外れることなく使用され得る。好ましくは、出力４３の各々での望まれない信号成分が上記の方法で終端され、当該出力が多重トランジスタ４４ａ−４４ｎに与えられ得るように、多重受動構成を有する切換ネットワーク５０ｎが存在する。フィルタ素子２４の厳密な構成は、実現例に応じて変化し得る。
【００２２】
図６は、低雑音増幅器として機能するトランジスタ４４ａ，４４ｂのゲートを駆動する２つの出力４３ａ，４３ｂを有するＳＡＷフィルタ４２を含むフィルタ構成４０の特定の例示的な回路実現例である。トランジスタ４４ａ，４４ｂのソースは、積算回路４６に与えられ、積算回路４６は、上で議論されたように、各トランジスタ４４ａ，４４ｂに接続される共通ノードを含み得る。
【００２３】
この実現例において、切換受動ネットワーク５０は、プロセッサ２０または制御１８（図２参照）を通じて制御可能なスイッチを介して出力４３ａおよび４３ｂに接続されたインダクタＬ１に並列な抵抗Ｒ１を含む。２つの周波数帯を有する複合信号がＳＡＷ４２によって受信された場合、ＳＡＷ４２は出力４３ａ，４３ｂで離散信号を出力する。両信号を増幅するために、トランジスタ４４ａおよび４４ｂがともに可能化される。各帯の信号が、反対の帯の低雑音増幅器の入力に戻り結合し、多重フィルタ４２の反対の帯のフィルタのポートに反射すると、望まれない効果が発生し、それにより、いくらかの信号電力が元の信号に付加されるか元の信号から減じられる。これは、大幅な利得の変動になる。これを是正するために、スイッチＳ１およびＳ２が閉じられ、並列な抵抗およびインダクタのネットワークが、望まれない反射された信号成分を終端するか減少させる。特に、ネットワークの反対側は、反対の帯のフィルタのポートによって現れる反射的なインピーダンスに関係するため、ネットワークは、所望の前方信号成分を実質的に終端しない。実際上、ネットワークは、所望の前方信号成分に対して同調スタブとして現れる。したがって、所望の信号のいかなる余分な損失も最小化される。これは、増幅器４４ａ，４４ｂおよび積算回路構成４６に供給されるクリーナ信号となる。ＳＡＷ４２が複合信号を与えない場合、非複合信号の低雑音増幅器４４ａ，４４ｂへの送信での損失が低減され得るように、スイッチが不能化され（disabled）得る。
【００２４】
図７および８は、他の実現例をさらに説明する。図７の実現例において、インダクタＬ２およびＬ３を含むインピーダンス整合網は、増幅器４４ａ，４４ｂに対して可能な最良の雑音指数を与えるように、低雑音増幅器４４ａ，４４ｂとスイッチＳ１，Ｓ２との間に付加され得る。同様に、図８において、インダクタＬ４およびＬ５も、同じ目的で、スイッチＳ１およびＳ２とＳＡＷ４２との間に付加され得る。切換ネットワーク５０は、増幅器４４ａ，４４ｂに対する雑音指数を低減するように選択された整合成分の前または後でこのように実現され得る。
【００２５】
図９は、２つの全く分離したフィルタ４２が用いられた場合、図３に関連して上で議論された雑音および利得の問題がまた現れ得ることを示す。図９に示されるように、２つの分離したフィルタ４２は、上記されたのと同じ方法で、出力４３ａ，４３ｂを与え、出力が切換ネットワーク５０を介して接続される。分離したフィルタ４２の出力４３ａ，４３ｂの１つに出力４３ａ，４３ｂの周波数帯内にない成分が存在する限りにおいて、切換可能ネットワーク５０は、それらの望まれない信号を低い雑音に終端し、出力間の利得差を改善するのに用いられ得る。
【００２６】
これまでの議論では、ＳＡＷ装置に関連して記載された実現化の例が与えられた。しかしながら、いかなるフィルタまたはフィルタ組も、構成に関わらず、それらのそれぞれの通過帯域から回路に対して終端されないインピーダンスを提示し得ることが評価されるべきである。このように、本開示の範囲内において、出力４３ａ，４３ｂは、異なる型のフィルタの出力を受け得るとともに、終端されていないインピーダンスが、適切に設計された切換可能ネットワーク５０によって同様に終端され得る。
【００２７】
これまでの記載は、本願発明の種々の実現例および使用例を示し、説明し、記載してきたが、本願の分野で通常の知識を有する者は、本願発明の範囲および精神から外れることなく、ここに記載された実施例に対して種々の変更、置換および修正がそれら当業者によってなされ得ることを評価するだろう。したがって、本願発明は、上記した記載に限定されるべきではなく、添付の特許請求の範囲によって定義されるべきである。
【符号の説明】
【００２８】
１１  無線装置、１２  アンテナ切換モジュール、１３  送受信器、１４  アンテナ、１５  バッテリー、１７  電力増幅器、１９  電力管理システム、２０  プロセッサ、２１  ベースバンド副システム、２３  使用者インターフェイス、２４  フィルタ構成、４０  回路構成、４２  多重フィルタ、４３ａ，４３ｂ  出力、４４，４４ａ，４４ｂ  低雑音増幅器、４６  積算回路、５０  切換可能受動ネットワーク、Ｌ１〜Ｌ５  インダクタ、Ｒ１  抵抗、Ｓ１，Ｓ２  スイッチ。
【図１】
0006424146.tif 000002
【図２】
0006424146.tif 000003
【図３】
0006424146.tif 000004
【図４】
0006424146.tif 000005
【図５】
0006424146.tif 000006
【図６】
0006424146.tif 000007
【図７】
0006424146.tif 000008
【図８】
0006424146.tif 000009
【図９】
0006424146.tif 000010